(57)【要約】【課題】操作者が、イスに着座した状態でゆったりと操作を行うことができるとともに写真印画物を取り出すことができ、さらに、操作者が、操作時および写真印画物の取り出し時に誤って飲み物などをこぼすことを抑制できるプリントシステムを提供することを目的とする。【解決手段】プリントシステムは、筐体５と、後方へ行く程上方に傾斜する傾斜板１１と、垂直板７に配置された制御部１０と、天板１上に配置されたプリンタ収納部２１に収納されたプリンタ６と、傾斜板１１上に配置された操作表示部１２と、底板４上の背面側に配置され、かつ、制御部１０とプリンタ６と操作表示部１２の制御を司る情報処理部１３と、背面板２と一対の側板３と傾斜板１２との間に形成された空洞部２３とを備えている。【選択図】図１
2014074822.tif 000002
【特許請求の範囲】
【請求項１】
天板と、背面板と、それぞれが中間部より下方で前方に張り出す張出部分を有する一対のＬ字形状の側板と、底板とを有する筐体と、
前記一対の側板の前記張出部分の上端に配置され、かつ、後方へ行く程上方に傾斜する傾斜板と、
前記一対の側板において中間部より上方で構成される垂直面に配置され、かつ、記録媒体に記録された画像情報を読み取る情報読み取り部と、前記画像情報を印刷する際の料金を投入するための課金部とを少なくとも有する制御部と、
前記天板上に配置されたプリンタ収納部に収納され、かつ、前記画像情報を印刷するプリンタと、
前記傾斜板上に配置され、かつ、外部からの操作を受け付けるとともに前記料金を表示する操作表示部と、
前記底板上の背面側に配置され、かつ、前記制御部と前記プリンタと前記操作表示部の制御を司る情報処理部と、
前記背面板と前記一対の側板と前記傾斜板との間に形成された空洞部と、
を備えた、プリントシステム。
【請求項２】
前記傾斜板の前側から前後方向に摺動可能なスライド板をさらに備えた、請求項１記載のプリントシステム。
【請求項３】
前記スライド板の上面に凹部が形成された、請求項２記載のプリントシステム。
【請求項４】
前記プリンタ収納部の前側を開閉可能なドアをさらに備え、
前記ドアの内側に写真印画物収納部が設けられた、請求項１記載のプリントシステム。
【請求項５】
前記ドアの前面は半透明板で構成された、請求項４記載のプリントシステム。
【請求項６】
前記操作表示部は音声出力機能を備えた、請求項１記載のプリントシステム。
【請求項７】
前記プリンタ収納部から前記傾斜板までを側面において遮蔽する遮蔽板をさらに備えた、請求項１記載のプリントシステム。
【請求項８】
前記底板は棚としての機能を有する、請求項１記載のプリントシステム。
【請求項９】
前記ドアは、当該ドアの下端部を回動基点として開閉可能に構成された、請求項４記載のプリントシステム。
【発明の詳細な説明】
【技術分野】
【０００１】
本発明は、操作者の利便性を向上させたプリントシステムに関するものである。
【背景技術】
【０００２】
従来より、天板と背面側板と一対の側方側板と底板とを有する筐体と、筐体の天板上に配置されかつデジタルメディア挿入口を有するパーソナルコンピューター（ＰＣ）本体とディスプレイとを有するＰＣと、筐体内に収納されたプリンタおよび課金システムとを備えたプリントシステムが知られている（例えば、特許文献１参照）。
【０００３】
このようなプリントシステムにおいて、ＰＣは筐体の天板上に配置されるが、この場合、ＰＣは天板の左右方向の中央部に位置している。使用にあたって操作者は、ＰＣ本体のデジタルメディア挿入口に画像を格納した記録媒体、例えばＳＤ（secure digital）カード、ＣＤ−ＲＯＭなどを挿入し、ディスプレイ上でプリントする画像を選択し入力する。
【０００４】
その後、操作者は、課金システムに接続された筐体の前扉側から料金を支払う。操作者が料金を支払った後、プリンタが写真画像をプリントして写真画像印画物を作成し、この写真画像印画物は前扉下側から排出される。
【先行技術文献】
【特許文献】
【０００５】
【特許文献１】特開２０１１−１８６２３４号公報
【発明の概要】
【発明が解決しようとする課題】
【０００６】
ところで、プリントシステムにおいてイスが設置されていない場合、操作者は、画像を選択する際に筐体前方に立った状態で操作し、排出された写真印画物を取り出す際はしゃがまなければならないという不便さがあった。また、イスが設置されている場合でも、操作者の足がプリンタシステムの筐体に当たったり、筐体に操作者の足が当たらないようにしようとすると操作者の身体の向きが半身になったりするという不便さがあった。
【０００７】
さらに、操作者は、操作用テーブル上に飲み物などを置いたまま操作を行ったり、写真印画物を取り出したりした場合、誤って飲み物などをこぼす可能性がある。
【０００８】
そこで、本発明は、操作者が、イスに着座した状態でゆったりと操作を行うことができるとともに写真印画物を取り出すことができ、さらに、操作者が、操作時および写真印画物の取り出し時に誤って飲み物などをこぼすことを抑制できるプリントシステムを提供することを目的とする。
【課題を解決するための手段】
【０００９】
本発明に係るプリントシステムは、天板と、背面板と、それぞれが中間部より下方で前方に張り出す張出部分を有する一対のＬ字形状の側板と、底板とを有する筐体と、前記一対の側板の前記張出部分の上端に配置され、かつ、後方へ行く程上方に傾斜する傾斜板と、前記一対の側板において中間部より上方で構成される垂直面に配置され、かつ、記録媒体に記録された画像情報を読み取る情報読み取り部と、前記画像情報を印刷する際の料金を投入するための課金部とを少なくとも有する制御部と、前記天板上に配置されたプリンタ収納部に収納され、かつ、前記画像情報を印刷するプリンタと、前記傾斜板上に配置され、かつ、外部からの操作を受け付けるとともに前記料金を表示する操作表示部と、前記底板上の背面側に配置され、かつ、前記制御部と前記プリンタと前記操作表示部の制御を司る情報処理部と、前記背面板と前記一対の側板と前記傾斜板との間に形成された空洞部とを備えたものである。
【発明の効果】
【００１０】
本発明によれば、プリントシステムは、筐体と、後方へ行く程上方に傾斜する傾斜板と、一対の側板において中間部より上方で構成される垂直面に配置された制御部と、天板上に配置されたプリンタ収納部に収納されたプリンタと、傾斜板上に配置された操作表示部と、底板上の背面側に配置され、かつ、制御部とプリンタと操作表示部の制御を司る情報処理部と、背面板と一対の側板と傾斜板との間に形成された空洞部とを備えた。
【００１１】
したがって、イスが設置された場合に、操作者はイスに着座した状態で空洞部に操作者の足を入れることができるため、イスに着座した状態でゆったりと操作を行うことができる。また、プリンタ収納部に収納されたプリンタから写真印画物を、操作者はイスに着座した状態で受け取ることができる。さらに、傾斜板は後方へ行く程上方に傾斜しているため、操作者が傾斜板に飲み物などを置くことを抑制できる。これにより、操作者が、操作時および写真印画物の取り出し時に誤って飲み物などをこぼすことを抑制できる。
【図面の簡単な説明】
【００１２】
【図１】実施の形態１に係るプリントシステムの斜視図である。
【図２】プリントシステムの正面図である。
【図３】プリントシステムの左側面図である。
【図４】プリントシステムの背面図である。
【図５】ドアを開けた状態を示すプリントシステムの斜視図である。
【発明を実施するための形態】
【００１３】
＜実施の形態＞
本発明の実施の形態について、図面を用いて以下に説明する。図１は、本発明の実施の形態に係るプリントシステムの斜視図であり、図２は、プリントシステムの正面図であり、図３は、プリントシステムの左側面図であり、図４は、プリントシステムの背面図である。以下、プリントシステムの左右方向、前後方向、上下方向を、それぞれＸ軸方向、Ｙ軸方向およびＺ軸方向とするＸＹＺ直交座標系（図１参照）を適宜使用しながら説明する。
【００１４】
プリントシステムは、大きく分けて筐体５とプリンタ収納部２１により構成されている。先ず、筐体５について説明する。筐体５は、天板１と、背面板２と、一対のＬ字状の側板３と、底板４とを備えている。さらに、プリントシステムは、垂直板７と、傾斜板１１とを備えている。
【００１５】
一対の側板３は、所定の間隔をあけて配置されている。一対の側板３は、それぞれが中間部より下方で前方に張り出す張出部分３ｂを有する一対の本体部３ａと、右側の本体部３ａの張出部分３ｂの内側に固定された厚板部材３ｃと、左右両側の本体部３ａの張出部分３ｂの前端にそれぞれ固定された前側部材３ｄ，３ｅにより構成されている。
【００１６】
天板１は、一対の側板３の本体部３ａの上端に固定されている。底板４は、一対の側板３（より具体的には、本体部３ａ）の下端部に固定されている。背面板２は、底板４の上面と、一対の側板３（より具体的には、本体部３ａ）の後端部とにそれぞれ固定されている。
【００１７】
傾斜板１１の後側部分は、一対の側板３の本体部３ａの張出部分３ｂの上端に固定されている。また、一対の側板３の前側部材３ｄ，３ｅの上端部の前面に取付部材３２が固定され、傾斜板１１の前側部分は、取付部材３２の上端に固定されている。張出部分３ｂの上端および取付部材３２の上端は、後方へ行く程上方に傾斜するように形成されているため、傾斜板１１は、後方へ行く程上方に傾斜した状態で固定されている。垂直板７は、一対の側板３の中間部より上方で構成される垂直面を構成する部材であり、一対の側板３の本体部３ａにおいて張出部分３ｂを除く部分の前端に固定されている。
【００１８】
背面板２と一対の側板３と傾斜板１１との間に空洞部２３が形成されている。空洞部２３は、操作者がイス（図示省略）に着座した状態で操作者の足を入れることができる程度の大きさに形成されている。プリントシステム操作時に、操作者は足を入れてゆったり操作を行うことができる。底板４は、空洞部２３の一部（より具体的には、空洞部２３の後側部分）に設けられている。また、底板４は棚としての機能を有するため、操作者は、底板４の上面に手荷物などを置くことができる。
【００１９】
次に、筐体５に設けられた種々の構造について説明する。筐体５には、制御部１０と、操作表示部１２と、情報処理部１３と、スライド板１４と、遮蔽板１９と、つり銭受け取り口２２などが設けられている。
【００２０】
垂直面である垂直板７に、制御部１０が配置されている。制御部１０は、記録媒体（図示省略）に記録された画像情報を読み取る情報読み取り部８と、画像情報を印刷する際の料金を投入するための課金部９とを有する。情報読み取り部８は、記録媒体挿入口２４と、ＤＶＤ読み取り端末２５により構成されている。
【００２１】
記録媒体挿入口２４には、例えば、ＳＤカード、ＸＤピクチャーカード、メモリースティックなどの記録媒体が挿入可能である。課金部９は、コイン投入口２６と、紙幣投入口２７と、電子マネーで会計を行うＳＵＩＣＡ（登録商標）端末２８と、レシートプリンタ２９により構成されている。
【００２２】
傾斜板１１の上面には、外部からの操作を受け付けるとともに、支払い金額である料金を表示する操作表示部１２が配置されている。操作表示部１２で受け付ける操作としては、例えば、操作者がプリントする画像情報である写真印画物とその枚数を決定するなどの操作である。操作表示部１２としては、例えば、タッチパネルモニターが採用される。また、操作表示部１２は、音声出力機能を備えており、例えば、写真印画物およびつり銭の取り忘れの際に音声アナウンスを出力する。
【００２３】
筐体５の内部において底板４上の背面側に、情報処理部１３が配置されている。情報処理部１３は、制御部１０とプリンタ６（図５参照）と操作表示部１２の制御を司る。より具体的には、情報処理部１３は、制御部１０と操作表示部１２との間で情報のやり取りを行うとともに、操作者が操作表示部１２を操作することで決定された画像情報をプリンタ６へ転送する。情報処理部１３としては、例えば、ＰＣが採用される。
【００２４】
傾斜板１１は、例えば内部が中空に形成され、傾斜板１１の内部には、傾斜板１１の前側から前後方向に摺動可能なスライド板１４が収納されている。プリントシステム操作時には、操作者は、スライド板１４を前方に引き出してスライド板１４の上面に肘を置いたり、小物を置いたりすることができる。また、スライド板１４の前側部分の上面には凹部１５が形成されており、操作者は凹部１５内に、携帯電話、飲み物、デジタルカメラなどを置くことが可能である。
【００２５】
遮蔽板１９は、プリンタ収納部２１から傾斜板１１までを側面において遮蔽するために、筐体５の側面（より具体的には、右側の側板３）に固定されている。遮蔽板１９は、操作者のプライバシーを保護するとともに、外部からの光が操作表示部１２に映りこむことを防止するための部材である。
【００２６】
筐体５の下部（より具体的には、前側部材３ｅの下端部）には、つり銭受け取り口２２が配置され、操作者は、つり銭受け取り口２２からつり銭を受け取ることができる。
【００２７】
次に、図１と図５を用いてプリンタ収納部２１を説明する。図５は、ドア１６を開けた状態を示すプリントシステムの斜視図である。プリンタ収納部２１は、天板１の上面に付設（配置）されており、プリンタ収納部２１の内部には複数（例えば４台）のプリンタ６を収納するために十分な空間が設けられている。
【００２８】
プリンタ収納部２１の内部には複数（例えば４台）のプリンタ６が収納され、プリンタ収納部２１の下端部には、プリンタ収納部２１の前側を開閉可能なドア１６が蝶番３１を介して連結されている。また、ドア１６の左右両端部と、プリンタ収納部２１の下端部の左右両端部とがドア保持機構３０によりそれぞれ連結されている。
【００２９】
ドア１６の内側には、所定枚数の写真印画物を収納するための空間である写真印画物収納部１７が設けられている。このため、写真印画物収納部１７に、プリンタ６から排紙された写真印画物をストックしておくことができる。ドア１６の前面は、半透明板１８で構成されている。すなわち、写真印画物収納部１７の前側は半透明板１８で覆われている。半透明板１８は、半透明板１８の上部に設けられた回転軸１８ａを回動基点として開閉することができる。
【００３０】
写真印画物収納部１７に写真印画物をストックしている間は、半透明板１８が閉じられることで写真印画物収納部１７は密閉されるため、写真印画物に対するホコリの付着を防止できる。また、写真印画物を取り出す際には半透明板１８の開き角を操作者が調整することによって、他人に見られることがないように写真印画物を取り出すことができるため、操作者のプライバシーの保護につながる。さらに、半透明板１８に、例えばスモーク材料を採用することで、操作者は、半透明板１８を開けることなく写真印画物収納部１７に写真印画物が収納されていることを確認することができ、写真印画物の取り忘れ防止に役立つ。
【００３１】
ドア１６は、ドア１６の下部に設けられた蝶番３１を回動基点として開閉可能であり、プリンタ収納部２１に対するドア１６の角度が一定の角度に達すると、ドア保持機構３０によってドア１６の開状態が保持される仕組みとなっている。このため、作業者がプリンタ６内のインクおよび紙などの消耗品を交換する際、ドア１６上に消耗品を置いて作業することができるため、作業者の負担が軽くなっている。さらに、ドア１６を開けた状態ではドア１６が操作表示部１２の上面を覆うため、作業者が、万が一消耗品を落としても、操作表示部１２の破損防止に役立つ仕組みとなっている。
【００３２】
さらに、ドア１６が筐体５の上側に設置されたプリンタ収納部２１に設けられ、作業者がドア１６を開閉できることにより、プリントシステムの店舗設置後においても店舗要求に応じてプリンタ台数、プリンタ機種を容易に変更することができる。
【００３３】
以上のように、実施の形態に係るプリントシステムは、筐体５と、後方へ行く程上方に傾斜する傾斜板１１と、垂直板７に配置された制御部１０と、天板１上に配置されたプリンタ収納部２１に収納されたプリンタ６と、傾斜板１１上に配置された操作表示部１２と、底板４上の背面側に配置され、かつ、制御部１０とプリンタ６と操作表示部１２の制御を司る情報処理部１３と、背面板２と一対の側板３と傾斜板１１との間に形成された空洞部２３とを備えている。
【００３４】
したがって、イスが設置された場合に、操作者はイスに着座した状態で空洞部２３に操作者の足を入れることができるため、イスに着座した状態でゆったりと操作表示部１２の操作を行うことができる。また、プリンタ収納部２１に収納されたプリンタ６から写真印画物を、操作者はイスに着座した状態で受け取ることができる。また、操作者はイスに着座した状態で、情報読み取り部８に記録媒体を挿入したり、課金部９から料金を投入したりすることもできる。
【００３５】
さらに、傾斜板１１は後方へ行く程上方に傾斜しているため、操作者が傾斜板１１に飲み物などを置くことを抑制できる。これにより、操作者が、操作時および写真印画物の取り出し時に誤って飲み物などをこぼすことを抑制できる。
【００３６】
複数台のプリンタ６を並列動作させているため、紙およびインクなどの消耗品の交換頻度が高くなる上、一度の交換量も多くなるが、プリンタ収納部２１が筐体５の上側に配置されたため、作業者は消耗品を容易に交換することができる。
【００３７】
傾斜板１１の前側から前後方向に摺動可能なスライド板１４をさらに備えたため、操作者が操作表示部１２を操作しないときは、スライド板１４を傾斜板１１の内部に収納することでプリントシステムにおける前後方向の省スペース化を図ることができる。スライド板１４の上面に凹部１５が形成されたため、操作者は、凹部１５内に飲み物、携帯電話、デジタルカメラなどを置くことができる。
【００３８】
プリンタ収納部２１の前側を開閉可能なドア１６をさらに備え、ドア１６の内側に写真印画物収納部１７が設けられたため、ドア１６を閉めておくことで写真印画物収納部１７に収納された写真印画物にホコリなどが付着することを防止できる。ドア１６の前面は半透明板１８で構成されたため、操作者はドア１６を開けることなく、写真印画物収納部１７に写真印画物が収納されているかどうかを確認することができ、写真印画物の取り忘れを防止できる。
【００３９】
操作表示部１２は音声出力機能を備えたため、写真印画物およびつり銭の取り忘れの際に音声アナウンスを出力することで、写真印画物およびつり銭の取り忘れを防止できる。プリンタ収納部２１から傾斜板１１までを側面において遮蔽する遮蔽板１９をさらに備えたため、操作者のプライバシーを保護することができ、さらに、外部からの光が操作表示部１２に映りこむことを防止できる。
【００４０】
底板４は棚としての機能を有するため、操作者は、底板４の上面に手荷物などを置くことができる。ドア１６は、ドア１６の下端部を回動基点として開閉可能に構成されたため、ドア１６を開けた状態ではドア１６により操作表示部１２の上面が覆われる。このため、作業者がプリンタ６内のインクおよび紙を交換する際に、誤って消耗品を落とした場合でも操作表示部１２を保護することが可能である。
【００４１】
なお、本発明は、その発明の範囲内において、実施の形態を適宜、変形、省略することが可能である。
【符号の説明】
【００４２】
１  天板、２  背面板、３  側板、３ｂ  張出部分、４  底板、５  筐体、６  プリンタ、７  垂直板、１０  制御部、１１  傾斜板、１２  操作表示部、１３  情報処理部、１４  スライド板、１５  凹部、１６  ドア、１７  写真印画物収納部、１８  半透明板、１９  遮蔽板、２１  プリンタ収納部、２３  空洞部。
【図１】
2014074822.tif 000003
【図２】
2014074822.tif 000004
【図３】
2014074822.tif 000005
【図４】
2014074822.tif 000006
【図５】
2014074822.tif 000007